(57)【要約】【課題】使い勝手が良く、省エネ運転ができる制御装置を提供する。【解決手段】機器を制御する制御部１１と、機器が消費するエネルギーの消費量を検出するエネルギー検出手段２０と、該エネルギー検出手段２０で検出される消費量信号に基づいて換算した値をエネルギー消費量として表示するエネルギー表示部１８を備え、エネルギー消費量の表示形態として、地球温暖化現象の要因となる二酸化炭素排出量に換算して表示するようにしてある。【選択図】図１
2008175834.tif 000002
【特許請求の範囲】
【請求項１】
電気、ガス、石油等のエネルギーを消費する機器の制御装置であって、
機器を制御する制御部と、機器が消費するエネルギーの消費量を検出するエネルギー検出手段と、該エネルギー検出手段で検出される消費量信号に基づいて換算した値をエネルギー消費量として表示するエネルギー表示部を備え、
エネルギー消費量の表示形態として、地球温暖化現象の要因となる二酸化炭素排出量に換算して表示するようにした制御装置。
【発明の詳細な説明】
【技術分野】
【０００１】
本発明は、機器のエネルギー消費を制御する制御装置に関するものである。
【背景技術】
【０００２】
従来の機器の中で、そのエネルギーの消費あるいは消費量の積算値を表示するものが種々提案されていて、それらの中で時間帯あるいは季節で電気使用料金などのようにエネルギー使用料金が異なるものがある。以下この時間帯で異なる電気使用料金を用いる電気温水器の例を図２を用いて説明する。
【０００３】
すなわち、制御部１には、水位センサー２や温度センサー３を用いてタンク内の水量や温度を検知してタンク内の給水やヒータ４による加温制御など使用者が使用する温水を制御する給湯制御部５と、時間帯で異なる電気使用料金体系に合わせて、通常料金時間帯と深夜割引料金時間帯の２つの時間帯を切り替えるタイマー部６が配設してあり、上記タイマー部６には、このタイマー部６で切り替えられた通常料金時間帯の電気使用量を積算する通常積算電力計７と、深夜割引料金時間帯の電気使用量を積算する深夜割引積算電力計８が接続されている。
【０００４】
そして、給湯制御部５は、通常時は料金の安い深夜割引料金時間帯にタンク内の水をため込み加温し、お湯として使用者が一日に使用する分を貯湯するようになっている。また、何らかの理由で使用者のお湯の使用量が多くなった場合には、通常料金時間帯でもタンク内に給水して加温するようになっていて、電気使用量は、時間帯で異なる電気使用料金体系に合わせて、それぞれ深夜割引積算電力計８と通常積算電力計７で表示するようになっている。
【発明の開示】
【発明が解決しようとする課題】
【０００５】
しかしながら、電気使用量は深夜割引積算電力計８と通常積算電力計７で個別に表示するようになっているため、使用者は電気使用量を２つの積算電力計の数値換算しないとそのランニングコストつまり該機器のエネルギー消費量がわからず、省エネ運転されているかどうか判断できにくい環境下にあった。
【０００６】
すなわち、使用者は、２つの積算電力計のそれぞれの前回との差を算出し、その算出したそれぞれの値を時間帯で異なる電気使用料金体系に合わせて、異なる換算値で換算して、さらにこれらを足し合わせるという煩雑な計算で該機器のエネルギー消費量が判るようになり、そのため、該機器の省エネ運転といったような使い方ができないと云う課題があった。
【０００７】
また、深夜割引積算電力計８と通常積算電力計７の２つが必要となり、構成も複雑且つコストも掛かると行った欠点もあった。
【０００８】
本発明は上記課題を解決するもので、時間帯あるいは季節で異なるエネルギー使用料金に応じて他の換算値で機器のエネルギー消費量を表示するようにして、使用者に使い勝手の良く、省エネ運転ができるようにした制御装置を提供することを目的とする。
【課題を解決するための手段】
【０００９】
本発明は上記課題を解決するために、電気、ガス、石油等のエネルギーを消費する機器の制御装置であって、機器を制御する制御部と、機器が消費するエネルギーの消費量を検
出するエネルギー検出手段と、該エネルギー検出手段で検出される消費量信号に基づいて換算した値をエネルギー消費量として表示するエネルギー表示部を備え、エネルギー消費量の表示形態として、地球温暖化現象の要因となる二酸化炭素排出量に換算して表示するようにしたものである。
【００１０】
上記発明によれば、エネルギー消費量の積算値を２酸化炭素排出量に換算して表示するようにしてあるので、使用者は地球環境保護といった視点から省エネ意識が喚起され、家庭内におけるガス使用量の省エネ思想に基づく使い方の促進ができ、地球温暖化の一因となる２酸化炭素の排出量を抑制していくことができるようになる。
【発明の効果】
【００１１】
本発明の制御装置は、エネルギー消費量の積算値を２酸化炭素排出量に換算して表示するようにしてあるので、使用者は地球環境保護といった視点から省エネ意識が喚起され、家庭内におけるガス使用量の省エネ思想に基づく使い方の促進ができ、地球温暖化の一因となる２酸化炭素の排出量を抑制していくことができるようになる。
【発明を実施するための最良の形態】
【００１２】
第１の発明は、電気、ガス、石油等のエネルギーを消費する機器の制御装置であって、機器を制御する制御部と、機器が消費するエネルギーの消費量を検出するエネルギー検出手段と、該エネルギー検出手段で検出される消費量信号に基づいて換算した値をエネルギー消費量として表示するエネルギー表示部を備え、エネルギー消費量の表示形態として、地球温暖化現象の要因となる二酸化炭素排出量に換算して表示するようにしたことを特徴とするものである。
【００１３】
そして、エネルギー消費量の積算値を２酸化炭素排出量に換算して表示するようにしてあるので、使用者は地球環境保護といった視点から省エネ意識が喚起され、家庭内におけるガス使用量の省エネ思想に基づく使い方の促進ができ、地球温暖化の一因となる２酸化炭素の排出量を抑制していくことができるようになる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電気温水器の制御ブロック図である。
【００１６】
図１において、１１は制御部で、水位センサー１２や温度センサー１３を用いてタンク内の水量や温度を検知してタンク内の給水やヒータ１４による加温制御など使用者が使用する温水を制御する給湯制御部１５と、時間帯で異なる電気使用料金体系に合わせて、通常料金時間帯と深夜割引料金時間帯の２つの時間帯を切り替えるタイマー部１６と、電力量消費量を抑えるように制御する省エネ制御部１７と、表示部１８へ信号を送る表示制御部１９が配設してある。
【００１７】
また、表示制御部１９には、該機器の電気使用量を積算する積算電力計２０（エネルギー検出手段）からの電力消費量信号を換算して金額表示する料金表示部２１（エネルギー表示部）へ信号を送る金額換算計算部２２と、上記電力消費量信号を換算して二酸化炭素換算値で表示する炭酸ガス表示部２３へ信号を送る２酸化炭素換算計算部２４が配設してある。
【００１８】
そして、表示部１８には上述の料金表示部２１と炭酸ガス表示部２３に加え、該機器の電力量消費量の積算値に応じて段階的に警告を発するＬＥＤ２６等からなる警告表示部２
５が配設してある。
【００１９】
上記した構成において、給湯制御部１５は、通常時は料金の安い深夜割引料金時間帯にタンク内の水をため込み加温し、お湯として使用者が一日に使用する分を貯湯するようになっていて、何らかの理由で使用者のお湯の使用量が多くなった場合のみ、通常料金時間帯でもタンク内に給水して加温するようになっている。
【００２０】
そして、金額換算計算部２２は、該機器の電気使用量を積算する積算電力計２０からの電力消費量信号が、タイマー部１６の信号が通常料金時間帯のときは通常料金で換算して、また、タイマー部１６の信号が深夜割引料金時間帯のときは深夜割引料金で換算して料金表示部２１へ信号を送り、料金表示部２１が通常料金時間帯と深夜割引料金時間帯の合わせた積算金額を表示するようにしてある。
【００２１】
また、２酸化炭素換算計算部２４は、金額換算計算部２２からの積算金額を２酸化炭素発生量として換算して炭酸ガス表示部２３へ信号を送り、炭酸ガス表示部２３が通常料金時間帯と深夜割引料金時間帯の合わせた積算２酸化炭素発生量を表示するようにしてある。
【００２２】
また、表示部１８は、上述の料金表示部２１と炭酸ガス表示部２３を有するとともに、該機器の電力消費量の積算値に応じて段階的に警告表示部２５に配設した警告を発するＬＥＤ２６を点灯するようになっていて、電力量消費量が所定値を越えると最終段階のＬＥＤ２６が点灯させるとともに、省エネ制御部１７は、機器の運転条件に使用制限を加えて電力量消費量を抑えるように制御するようになっている。
【００２３】
さらに、電力消費量の積算値が所定値を越え機器の使用制限が加わっても、所定期間を過ぎると通常の運転ができるようになっている。
【００２４】
ここで、料金表示部２１は積算電力計２０で検出した電力量の消費量の積算値を料金として金額表示するようにしてあるので、電力量使用料金の異なる時間帯の電力量の消費量を、１つの積算電力計２０で検出でき、また１つの料金表示部２１で表示できるようになり、その構成が簡単になるとともに、安価に構成できるようになる。
【００２５】
また、使用者も、機器の電力量の消費量の換算値を、１つの料金表示部２１で視認できるようになり、直接的に機器の電力量の消費量を確認できるので、該機器の省エネ運転等の目安ができ、その使い勝手は大幅に向上する。
【００２６】
さらに、電力量の消費量の積算値を料金として料金表示部２１で直接金額表示するようにしてあるので、使用者は省エネ意識が喚起され、該機器の省エネ運転といったような使い方の促進ができるようになる。
【００２７】
また、炭酸ガス表示部２３で電力量の消費量の積算値を２酸化炭素換算値に換算して表示するようにしてあるので、使用者は地球環境保護といった視点から省エネ意識が喚起され、該機器の省エネ運転といったような使い方の促進ができ、地球温暖化の一因となる２酸化炭素の排出量を抑制していくことができるようになる。
【００２８】
また、表示制御部１９は、該機器の電力消費量の積算値に応じて段階的に警告表示部２５に配設した警告を発するＬＥＤ２６を点灯するようになっていて、使用者は、該機器の電力消費量が多いことを見落とす心配がなくなるとともに、該機器の電力量消費の目安としてＬＥＤ２６の点灯を用いることができるようになり、さらに使い勝手が増す。
【００２９】
そして、使用者は、該機器の電力量消費量が多いことを見落としても、省エネ制御部１７は、機器の運転条件に使用制限を加えて電力消費量を抑えるように制御するようになっているので、該機器の電力消費量が抑えられ使い勝手が増すとともに、使用者が該機器を必要以上に使用しようとしても機器の使用制限によって電力消費量を抑えることができ、異常な機器の運転を防止できるようになる。
【００３０】
また、使用者は、電力消費量の積算値が所定値を越え機器の使用制限が加わっても、所定期間を過ぎると通常の運転ができるようになり、その使い勝手は増すとともに、省エネ運転の意識の向上が図れるようになる。
【００３１】
なお、電力消費量の積算値を金額に換算したが、これは他の目安となる基準値でも良く、また、２酸化炭素換算値は金額換算計算部からの積算金額を２酸化炭素発生量として換算するようにして算出したが、これは積算電力計からの直接換算するようにしても良く、さらに、エネルギー種を電力としたが、これは他のガスや燃料としても良く、その他各部の構成も本発明の目的を達成する範囲であれば、その構成はどのようなものであってよい。
【図面の簡単な説明】
【００３２】
【図１】本発明の実施の形態１における電気温水器の制御ブロック図
【図２】従来の電気温水器の制御ブロック図
【符号の説明】
【００３３】
１１  制御部
１８  表示部
１９  表示制御部
２０  積算電力計（エネルギー検出手段）
２１  料金表示部（エネルギー表示部）
２３  炭酸ガス表示部（エネルギー表示部）
２４  二酸化炭素換算計算部
【図１】
2008175834.tif 000003
【図２】
2008175834.tif 000004